(57)【要約】 【課題】電力計を内部に備えない機器を使用する場合であってもユーザ毎の電力管理が可能な電力管理システムを提供する。【解決手段】電力管理システムは、監視部と認証部と第３情報生成部と第３情報記憶部とを備える。監視部は、複数の機器の各々の消費電力を監視し、機器を識別する機器情報ごとに、機器情報により識別される機器の消費電力を示す消費電力情報を対応付けた第１情報を生成する。認証部は、機器を利用するユーザの認証を行う。第３情報生成部は、認証されたユーザを識別するユーザ情報と、当該認証されたユーザが利用する機器の機器情報とを対応付けた第２情報、および、第１情報に基づいて、ユーザ情報と消費電力情報とを対応付けた第３情報を生成する。第３情報記憶部は、第３情報を記憶する。【選択図】図１
2015057019.tif 000002
【特許請求の範囲】
【請求項１】
複数の機器の各々の消費電力を監視し、前記機器を識別する機器情報ごとに、前記機器情報により識別される前記機器の消費電力を示す消費電力情報を対応付けた第１情報を生成する監視部と、
前記機器を利用するユーザの認証を行う認証部と、
認証されたユーザを識別するユーザ情報と、当該認証されたユーザが利用する前記機器の前記機器情報とを対応付けた第２情報、および、前記第１情報に基づいて、前記ユーザ情報と前記消費電力情報とを対応付けた第３情報を生成する第３情報生成部と、
前記第３情報を記憶する第３情報記憶部と、を備える、
電力管理システム。
【請求項２】
１以上の前記監視部と接続される第１装置と、
前記第１装置と接続されるとともに前記第３情報記憶部を有する第２装置と、を備え、
前記機器は、
前記認証部と、
前記認証部により認証されたユーザを識別する前記ユーザ情報と、当該機器の前記機器情報とを対応付けた前記第２情報を生成する第２情報生成部と、
前記第２情報を前記第１装置へ送信する第１送信部と、を有し、
前記第１装置は、
前記監視部から前記第１情報を取得する第１取得部と、
前記機器から前記第２情報を取得する第２取得部と、
前記第１取得部により取得された前記第１情報と、前記第２取得部により取得された前記第２情報とに基づいて、前記第３情報を生成する前記第３情報生成部と、
前記第３情報を前記第２装置へ送信する第２送信部と、を有し、
前記第２装置は、
前記第３情報記憶部と、
前記第１装置から前記第３情報を取得する第３取得部と、
前記第３情報を前記第３情報記憶部に登録する登録部と、を有する、
請求項１に記載の電力管理システム。
【請求項３】
１以上の前記監視部と接続される第１装置と、
前記第１装置、および、複数の前記機器の各々と接続されるとともに前記第３情報記憶部を有する第２装置と、を備え、
前記機器は、
前記認証部と、
前記認証部により認証されたユーザを識別する前記ユーザ情報と、当該機器の前記機器情報とを対応付けた前記第２情報を生成する第２情報生成部と、
前記第２情報を前記第２装置へ送信する第３送信部と、を有し、
前記第１装置は、
前記監視部から前記第１情報を取得する第１取得部と、
前記第１取得部により取得された前記第１情報を前記第２装置へ送信する第４送信部と、を有し、
前記第２装置は、
前記第１装置から前記第１情報を取得する第４取得部と、
前記機器から前記第２情報を取得する第５取得部と、を有し、
前記第４取得部により取得された前記第１情報と、前記第５取得部により取得された前記第２情報とに基づいて、前記第３情報を生成する前記第３情報生成部と、を有する、
請求項１に記載の電力管理システム。
【請求項４】
それぞれが、１以上の前記監視部と接続される複数の第１装置と、
各前記第１装置と接続されるとともに前記第３情報記憶部を有する第２装置と、
前記第１装置と前記機器との対応関係を示す関係情報を記憶する第３装置と、を備え、
前記機器は、
前記認証部と、
前記認証部により認証されたユーザを識別する前記ユーザ情報と、当該機器の前記機器情報とを対応付けた前記第２情報を生成する第２情報生成部と、
前記第２情報を前記第３装置へ送信する第４送信部と、を有し、
前記第３装置は、
前記関係情報を記憶する関係情報記憶部と、
前記機器から前記第２情報を取得する第６取得部と、
前記関係情報を参照して、前記第６取得部により取得された前記第２情報に含まれる前記機器情報により識別される前記機器に対応する前記第１装置を特定する特定部と、
前記特定部により特定された前記第１装置に対して、前記第６取得部により取得された前記第２情報を送信する第５送信部と、を有し、
前記第１装置は、
前記監視部から前記第１情報を取得する第１取得部と、
前記第３装置から前記第２情報を取得する第７取得部と、
前記第１取得部により取得された前記第１情報と、前記第７取得部により取得された前記第２情報とに基づいて、前記第３情報を生成する前記第３情報生成部と、
前記第３情報を前記第２装置へ送信する第２送信部と、を有し、
前記第２装置は、
前記第３情報記憶部と、
前記第１装置から前記第３情報を取得する第３取得部と、
前記第３情報を前記第３情報記憶部に登録する登録部と、を有する、
請求項１に記載の電力管理システム。
【請求項５】
前記消費電力情報を表示すべきユーザを識別する前記ユーザ情報を含み、前記消費電力情報の表示を要求する表示要求を受け付けた場合、前記表示要求に含まれる前記ユーザ情報に対応する前記消費電力情報を表示する制御を行う表示制御部をさらに備える、
請求項１に記載の電力管理システム。
【請求項６】
前記消費電力情報を表示すべきユーザを指定するユーザ指定情報を含み、前記消費電力情報の表示を要求する表示要求を受け付けた場合、前記表示要求に含まれる前記ユーザ指定情報により指定されたユーザを識別する前記ユーザ情報に対応する前記消費電力情報を表示する制御を行う表示制御部をさらに備える、
請求項１に記載の電力管理システム。
【請求項７】
前記消費電力情報を表示すべき前記機器を指定する機器指定情報を含み、前記消費電力情報の表示を要求する表示要求を受け付けた場合、前記表示要求に含まれる前記機器指定情報により指定された前記機器を識別する前記機器情報に対応する前記消費電力情報を表示する制御を行う表示制御部をさらに備える、
請求項１に記載の電力管理システム。
【発明の詳細な説明】
【技術分野】
【０００１】
本発明は、電力管理システムに関する。
【背景技術】
【０００２】
従来、電力制御機能付きコンセントタップ（電気機器に繋がる各コンセントの消費電力量を記録／表示するインテリタップ）を利用して、機器の消費電力を監視する技術や、電力状態に応じて各機器の電源を遮断する（落とす）などの電力管理を行う技術が知られている。
【０００３】
例えば特許文献１には、ユーザ毎の電力管理を行う目的で、互いに接続されている複数の機器にユーザが各種の処理を実行させる状況下でユーザ毎の電力管理を行う電力管理システムが開示され、複数の機器同士の間で通信を行う手段と、ユーザの認証を行う手段と、機器間でユーザ毎の電力使用実績をやり取りして演算する手段と、演算結果を記憶する手段を備えた構成が開示されている。
【発明の概要】
【発明が解決しようとする課題】
【０００４】
しかし、特許文献１に開示された技術は、電力計を機器内に備えた特殊な機器でしか適用できないという問題がある。
【０００５】
本発明は、上記に鑑みてなされたものであって、電力計を内部に備えない機器を使用する場合であってもユーザ毎の電力管理が可能な電力管理システムを提供することを目的とする。
【課題を解決するための手段】
【０００６】
上述した課題を解決し、目的を達成するために、本発明は、複数の機器の各々の消費電力を監視し、前記機器を識別する機器情報ごとに、前記機器情報により識別される前記機器の消費電力を示す消費電力情報を対応付けた第１情報を生成する監視部と、前記機器を利用するユーザの認証を行う認証部と、認証されたユーザを識別するユーザ情報と、当該認証されたユーザが利用する前記機器の前記機器情報とを対応付けた第２情報、および、前記第１情報に基づいて、前記ユーザ情報と前記消費電力情報とを対応付けた第３情報を生成する第３情報生成部と、前記第３情報を記憶する第３情報記憶部と、を備える電力管理システムである。
【発明の効果】
【０００７】
本発明によれば、電力計を内部に備えない機器を使用する場合であってもユーザ毎の電力管理が可能になる。
【図面の簡単な説明】
【０００８】
【図１】図１は、第１実施形態の電力管理システムの構成例を示す図である。
【図２】図２は、第１実施形態の機器の機能構成例を示す図である。
【図３】図３は、情報処理装置のハードウェア構成例を示す図である。
【図４】図４は、情報処理装置のソフトウェア構成例を示す図である。
【図５】図５は、第１実施形態の情報処理装置の機能構成例を示す図である。
【図６】図６は、第１実施形態のデータ管理装置の機能構成例を示す図である。
【図７】図７は、第３情報記憶部のデータ構造の一例を示す図である。
【図８】図８は、第３情報の登録手順の一例を示すシーケンス図である。
【図９】図９は、電力管理システムにおける第３情報の登録処理の一例を示すフロー図である。
【図１０】図１０は、消費電力情報を表示する手順の一例を示すシーケンス図である。
【図１１】図１１は、電力管理システムにおける消費電力情報を表示する処理の一例を示すフロー図である。
【図１２】図１２は、第２実施形態の機器の機能構成例を示す図である。
【図１３】図１３は、第２実施形態の情報処理装置の機能構成例を示す図である。
【図１４】図１４は、第２実施形態のデータ管理装置の機能構成例を示す図である。
【図１５】図１５は、第３情報の登録手順の一例を示すシーケンス図である。
【図１６】図１６は、電力管理システムにおける第３情報の登録処理の一例を示すフロー図である。
【図１７】図１７は、第３実施形態の電力管理システムの構成例を示す図である。
【図１８】図１８は、第３実施形態の接続管理装置の機能構成例を示す図である。
【図１９】図１９は、第３実施形態の情報処理装置の機能構成例を示す図である。
【図２０】図２０は、電力管理システムにおける第３情報の登録処理の一例を示すフロー図である。
【図２１】図２１は、変形例における消費電力情報を表示する処理の一例を示すフロー図である。
【図２２】図２２は、変形例における警告画面を表示する処理の一例を示すフロー図である。
【発明を実施するための形態】
【０００９】
以下、添付図面を参照しながら、本発明に係る電力管理システムの実施形態を詳細に説明する。
【００１０】
（第１実施形態）
図１は、本実施形態に係る電力管理システム１００の概略構成例を示す図である。図１に示すように、電力管理システム１００は、情報処理装置１と、電源制御機能付コンセントタップ２（以下、「コンセントタップ２」と称する）と、複数の機器３と、データ管理装置４と、を備える。
【００１１】
この例では、情報処理装置１は、ＬＡＮ（Local  Area  Network）やインターネット等のネットワークを介して、コンセントタップ２、複数の機器３、データ管理装置４の各々と接続される。また、この例では、情報処理装置１は、複合機（ＭＦＰ：Multifunction  Peripheral）で構成されるが、これに限られるものではない。なお、複合機とは、印刷機能、複写機能、スキャナ機能、及びファクシミリ機能のうち少なくとも２つの機能を有する装置である。この例では、情報処理装置１は、請求項の「第１装置」に対応していると考えることができる。情報処理装置１の詳細な構成については後述する。
【００１２】
コンセントタップ２は、複数の機器３の各々の消費電力を監視する機能を有する。この例では、コンセントタップ２は、不図示の電源ラインに接続されるとともに、それぞれに機器３が接続される複数のコンセント（差し込み口）を有し、各コンセントの消費電力を監視する。これにより、コンセントタップ２は、各機器３の消費電力を監視することができる。また、例えばコンセントタップ２は、各機器３の電源制御を行うこともできる。この例では、コンセントタップ２は、コンセントと機器３との接続関係を予め把握しており、各コンセントの消費電力を定期的に監視して、機器３を識別する機器情報（機器ＩＤ）ごとに、当該機器情報により識別される機器の消費電力を示す消費電力情報を対応付けた第１情報を生成し、生成した第１情報を情報処理装置１へ送信する。この例では、コンセントタップ２は、請求項の「監視部」に対応していると考えることができる。
【００１３】
次に、電力の供給を受ける機器３について説明する。図２は、機器３の機能構成の一例を示すブロック図である。説明の便宜上、図２では、本発明に係る機能を主に例示しているが、機器３が有する機能は、これらに限られるものではない。また、図２では、１つの機器３のみを例示しているが、他の機器３も同様の構成となる。図２に示すように、機器３は、ログイン情報受付部３１と、ログイン情報記憶部３２と、認証部３３と、第２情報生成部３４と、第１送信部３５と、を有する。
【００１４】
ログイン情報受付部３１は、ユーザからのログイン情報を受け付ける。この例では、ログイン情報は、ユーザ名とパスワードとの組み合わせからなる情報であるが、これに限られるものではない。ログイン情報記憶部３２は、機器３を使用する権限を有するユーザを一意に識別するユーザ情報ごとに、予め登録されたログイン情報を対応付けて記憶する。認証部３３は、ログイン情報記憶部３２に記憶されたログイン情報の中に、ログイン情報受付部３１で受け付けたログイン情報と一致するログイン情報が存在する場合、その受け付けたログイン情報を入力したユーザを認証する（機器３の使用を許可する）。この例では、認証部３３は、請求項の「認証部」に対応していると考えることができる。
【００１５】
第２情報生成部３４は、認証部３３により認証されたユーザを一意に識別するユーザ情報と、当該機器３を識別する機器情報とを対応付けた第２情報を生成する。第１送信部３５は、第２情報生成部３４により生成された第２情報を情報処理装置１へ送信する。
【００１６】
本実施形態における機器３のハードウェア構成は、ＣＰＵ（Central  Processing  Unit）、ＲＯＭ、ＲＡＭ、および、通信Ｉ／Ｆ装置などを含んだ通常のコンピュータのハードウェア構成を利用している。上述の機器３が有する複数の機能のうちログイン情報記憶部３２を除いた各部の機能（ログイン情報受付部３１、認証部３３、第２情報生成部３４、第１送信部３５）は、ＣＰＵがＲＯＭに格納されたプログラムをＲＡＭ上で展開して実行することにより実現される。また、これに限らず、上述の機器３が有する複数の機能のうちログイン情報記憶部３２を除いた各部の機能の少なくとも一部を専用のハードウェア回路（例えば半導体集積回路等）で実現することもできる。なお、ログイン情報記憶部３２は、ＲＯＭやＲＡＭ等により実現されてもよい。
【００１７】
次に、図１に示す情報処理装置１について説明する。図３は、情報処理装置１のハードウェア構成の一例を示す図である。図３に示すように、情報処理装置１は、コピー機能、スキャナ機能、ファクス機能、プリンタ機能などの各種の機能を実現可能な本体１０と、ユーザによる操作に応じた入力を受け付ける操作部２０と、を備える。本体１０と操作部２０は、専用の通信路３００を介して相互に通信可能に接続されている。通信路３００は、例えばＵＳＢ（Universal  Serial  Bus）規格のものを用いることもできるが、有線か無線かを問わず任意の規格のものであってよい。
【００１８】
なお、本体１０は、操作部２０で受け付けた入力に応じた動作を行うことができる。また、本体１０は、クライアントＰＣ（パーソナルコンピュータ）等の外部装置とも通信可能であり、外部装置から受信した指示に応じた動作を行うこともできる。
【００１９】
以下、本体１０のハードウェア構成について説明する。図３に示すように、本体１０は、ＣＰＵ１１と、ＲＯＭ１２と、ＲＡＭ１３と、ＨＤＤ（ハードディスクドライブ）１４と、通信Ｉ／Ｆ（インタフェース）１５と、接続Ｉ／Ｆ１６と、エンジン部１７とを備え、これらがシステムバス１８を介して相互に接続されている。
【００２０】
ＣＰＵ１１は、本体１０の動作を統括的に制御する。ＣＰＵ１１は、ＲＡＭ１３をワークエリア（作業領域）としてＲＯＭ１２またはＨＤＤ１４等に格納されたプログラムを実行することで、本体１０全体の動作を制御し、上述したコピー機能、スキャナ機能、ファクス機能、プリンタ機能などの各種機能を実現する。
【００２１】
通信Ｉ／Ｆ１５は、クライアントＰＣ（パーソナルコンピュータ）等の外部装置と通信するためのインタフェースである。接続Ｉ／Ｆ１６は、通信路３００を介して操作部２０と通信するためのインタフェースである。
【００２２】
エンジン部１７は、コピー機能、スキャナ機能、ファクス機能、および、プリンタ機能を実現させるための、汎用的な情報処理及び通信以外の処理を行うハードウェアである。例えば、原稿の画像をスキャンして読み取るスキャナ（画像読取部）、用紙等のシート材への印刷を行うプロッタ（画像形成部）、ファクス通信を行うファクス部などを備えている。更に、印刷済みシート材を仕分けるフィニッシャや、原稿を自動給送するＡＤＦ（自動原稿給送装置）のような特定のオプションを備えることもできる。
【００２３】
続いて、操作部２０のハードウェア構成について説明する。図３に示すように、操作部２０は、ＣＰＵ２１と、ＲＯＭ２２と、ＲＡＭ２３と、フラッシュメモリ２４と、通信Ｉ／Ｆ２５と、接続Ｉ／Ｆ２６と、操作パネル２７と、を備え、これらがシステムバス２８を介して相互に接続されている。
【００２４】
ＣＰＵ２１は、操作部２０の動作を統括的に制御する。ＣＰＵ２１は、ＲＡＭ２３をワークエリア（作業領域）としてＲＯＭ２２またはフラッシュメモリ２４等に格納されたプログラムを実行することで、操作部２０全体の動作を制御し、ユーザから受け付けた入力に応じた情報（画像）の表示などの後述する各種機能を実現する。
【００２５】
通信Ｉ／Ｆ２５は、インターネットなどのネットワークを介して、コンセントタップ２、複数の機器３、データ管理装置４等の外部装置と通信するためのインタフェースである。接続Ｉ／Ｆ２６は、通信路３００を介して本体１０と通信するためのインタフェースである。
【００２６】
操作パネル２７は、ユーザの操作に応じた各種の入力を受け付けるとともに、各種の情報（例えば情報処理装置１の動作状況を示す情報、設定状態などを示す情報など）を表示する。この例では、操作パネル２７は、タッチパネル機能を搭載した液晶表示装置（ＬＣＤ）で構成されるが、これに限られるものではない。例えばタッチパネル機能が搭載された有機ＥＬ表示装置で構成されてもよい。さらに、これに加えて又はこれに代えて、ハードウェアキー等の操作部やランプ等の表示部を設けることもできる。
【００２７】
次に、情報処理装置１のソフトウェア構成について説明する。図４は、情報処理装置１のソフトウェア構成の一例を示す模式図である。図４に示すように、本体１０は、アプリ層１０１と、サービス層１０２と、ＯＳ層１０３とを有する。アプリ層１０１、サービス層１０２、および、ＯＳ層１０３の実体は、ＲＯＭ１２やＨＤＤ１４等に格納されている各種ソフトウェアである。ＣＰＵ１１が、これらのソフトウェアを実行することにより、各種の機能が提供される。
【００２８】
アプリ層１０１のソフトウェアは、ハードウェア資源を動作させて所定の機能を提供するためのアプリケーションソフトウェア（以下の説明では、単に「アプリ」あるいは「アプリケーション」と称する場合がある）である。例えばアプリケーションの種類としては、コピー機能を提供するためのコピーアプリ、スキャナ機能を提供するためのスキャナアプリ、ファクス機能を提供するためのファクスアプリ、プリンタ機能を提供するためのプリンタアプリなどが挙げられる。
【００２９】
サービス層１０２のソフトウェアは、アプリ層１０１とＯＳ層１０３との間に介在し、アプリケーションに対し、本体１０が備えるハードウェア資源を利用するためのインタフェースを提供するためのソフトウェアである。より具体的には、ハードウェア資源に対する動作要求の受付、動作要求の調停を行う機能を提供するためのソフトウェアである。サービス層１０２が受け付ける動作要求としては、スキャナによる読み取りやプロッタによる印刷等の要求が考えられる。
【００３０】
なお、サービス層１０２によるインタフェースの機能は、本体１０のアプリ層１０１だけではなく、操作部２０のアプリ層２０１に対しても提供される。すなわち、操作部２０のアプリ層２０１（アプリ）も、サービス層１０２のインタフェース機能を介して、本体１０のハードウェア資源（例えばエンジン部１７）を利用した機能を実現することができる。
【００３１】
ＯＳ層１０３のソフトウェアは、本体１０が備えるハードウェアを制御する基本機能を提供するための基本ソフトウェア（オペレーティングシステム）である。サービス層１０２のソフトウェアは、各種アプリからのハードウェア資源の利用要求を、ＯＳ層１０３が解釈可能なコマンドに変換してＯＳ層１０３に渡す。そして、ＯＳ層１０３のソフトウェアによりコマンドが実行されることで、ハードウェア資源は、アプリケーションの要求に従った動作を行う。
【００３２】
同様に、操作部２０は、アプリ層２０１と、サービス層２０２と、ＯＳ層２０３とを有する。操作部２０が備えるアプリ層２０１、サービス層２０２及びＯＳ層２０３も、階層構造については本体１０側と同様である。ただし、アプリ層２０１のアプリにより提供される機能や、サービス層２０２が受け付け可能な動作要求の種類は、本体１０側とは異なる。アプリ層２０１のアプリとしては、操作部２０が備えるハードウェア資源を動作させて所定の機能を提供するためのソフトウェアであってもよいが、主として、本体１０が備える機能（コピー機能、スキャナ機能、ファクス機能、プリンタ機能）に関する操作や表示を行うためのＵＩ（ユーザインタフェース）の機能を提供するためのソフトウェア、ユーザ毎の電力管理を行う機能やコンセントタップ２を介して各機器３の電源を制御する機能などを提供するためのソフトウェア（以下の説明では、「電力管理アプリ」と称する場合がある）などが含まれる。
【００３３】
なお、本実施形態では、機能の独立性を保つために、本体１０側のＯＳ層１０３のソフトウェアと操作部２０側のＯＳ層２０３のソフトウェアが互いに異なる。つまり、本体１０と操作部２０は、別々のオペレーティングシステムで互いに独立して動作する。例えば、本体１０側のＯＳ層１０３のソフトウェアとしてＬｉｎｕｘ（登録商標）を用い、操作部２０側のＯＳ層２０３のソフトウェアとしてＡｎｄｒｏｉｄ（登録商標）を用いることも可能である。
【００３４】
また、本実施形態では、操作部２０に対する電力供給は、本体１０から通信路３００を経由して行われているので、操作部２０の電源制御を、本体１０の電源制御とは別に（独立して）行うことができる。
【００３５】
次に、情報処理装置１の機能構成について説明する。図５は、情報処理装置１の機能構成の一例を示すブロック図である。図５では、上述の電力管理アプリに係る機能を主に例示しているが、情報処理装置１が有する機能は、これらに限られるものではない。なお、１つの電力管理アプリでは、複数のコンセントタップ２の情報を管理することができる。図５に示すように、情報処理装置１は、第１取得部１１１と、第２取得部１１２と、第３情報生成部１１３と、第２送信部１１４と、受付部１１５と、ログイン情報記憶部１１６と、認証部１１７と、表示制御部１１８とを備える。
【００３６】
第１取得部１１１は、コンセントタップ２からの第１情報を取得する。この例では、第１取得部１１２は、コンセントタップ２からの第１情報を定期的に取得する。第２取得部１１２は、各機器３からの第２情報を取得する。
【００３７】
第３情報生成部１１３は、第１取得部１１１により取得された第１情報と、第２取得部１１２により取得された第２情報とに基づいて、ユーザ情報と、消費電力情報とを対応付けた第３情報を生成する。前述したように、第１情報は、機器情報と消費電力情報とを対応付けた情報であり、第２情報は、ユーザ情報と機器情報とを対応付けた情報であるので、第１情報と第２情報とを組み合わせることにより、ユーザ情報と消費電力情報とを対応付けた（紐付けた）第３情報を生成することができる。より具体的には、第３情報生成部１１３は、第１情報に含まれる機器情報のうち、第２情報に含まれる機器情報と一致する機器情報を特定する。そして、第３情報生成部１１３は、第１情報に含まれる消費電力情報のうち第２情報に含まれる機器情報に対応付けられた消費電力情報と、当該第２情報に含まれるユーザ情報とを紐付けることにより、第３情報を生成することができる。
【００３８】
第２送信部１１４は、第３情報生成部１１３により生成された第３情報を、データ管理装置４へ送信する。
【００３９】
ここで、データ管理装置４の機能について説明する。図６は、データ管理装置４の機能構成の一例を示すブロック図である。説明の便宜上、図６では、本発明に係る機能を主に例示しているが、データ管理装置４が有する機能は、これらに限られるものではない。図６に示すように、データ管理装置４は、第３取得部１２１と、登録部１２２と、第３情報記憶部１２３とを備える。第３取得部１２１は、情報処理装置１からの第３情報を取得する。登録部１２２は、第３取得部１２１により取得された第３情報を、第３情報記憶部１２３に登録する制御を行う。この例では、データ管理装置４は請求項の「第２装置」に対応していると考えることができる。図７は、第３情報記憶部１２３のデータ構造の一例を示す図である。
【００４０】
本実施形態におけるデータ管理装置４のハードウェア構成は、ＣＰＵ（Central  Processing  Unit）、ＲＯＭ、ＲＡＭ、および、通信Ｉ／Ｆ装置などを含んだ通常のコンピュータのハードウェア構成を利用している。上述のデータ管理装置４が有する複数の機能のうち第３情報記憶部１２３を除いた各部の機能（第３取得部１２１、登録部１２２）は、ＣＰＵがＲＯＭに格納されたプログラムをＲＡＭ上で展開して実行することにより実現される。また、これに限らず、上述のデータ管理装置４が有する複数の機能のうち第３情報記憶部１２３を除いた各部の機能の少なくとも一部を専用のハードウェア回路（例えば半導体集積回路等）で実現することもできる。なお、第３情報記憶部１２３は、ＲＯＭやＲＡＭ等により実現されてもよい。
【００４１】
図５に戻り、情報処理装置１の説明を続ける。受付部１１５は、各種の入力情報を受け付ける。例えば受付部１１５は、ユーザからのログイン情報を受け付けることもできるし、消費電力情報の表示を要求する表示要求を受け付けることもできる。この例では、ログイン情報は、ユーザ名とパスワードとの組み合わせからなる情報であるが、これに限られるものではない。ログイン情報記憶部１１６は、情報処理装置１を使用する権限を有するユーザを一意に識別するユーザ情報ごとに、予め登録されたログイン情報を対応付けて記憶する。認証部１１７は、ログイン情報記憶部１１６に記憶されたログイン情報の中に、受付部１１５で受け付けたログイン情報と一致するログイン情報が存在する場合、受付部１１５で受け付けたログイン情報を入力したユーザを認証する（情報処理装置１の使用を許可する）という具合である。
【００４２】
表示制御部１１８は、認証されたユーザからの表示要求に応じて、消費電力情報を表示する制御を行う。この例における表示要求は、消費電力情報を表示すべきユーザを識別するユーザ情報を含み、消費電力情報の表示を要求する情報である。表示制御部１１８は、ユーザから表示要求を受け付けた場合、データ管理装置４に対して、その受け付けた表示要求に含まれるユーザ情報に対応する消費電力情報を要求する。この要求を受けたデータ管理装置４は、表示要求に含まれるユーザ情報に対応する消費電力情報を第３情報記憶部１２３から読み出し、読み出した消費電力情報を表示制御部１１８へ送信する。表示制御部１１８は、データ管理装置４から受信した消費電力情報を操作パネル２７上に表示する制御を行うという具合である。
【００４３】
次に、上述の第３情報の登録手順について説明する。図８は、上述の第３情報の登録手順の一例を示すシーケンス図である。上述したように、コンセントタップ２は、情報処理装置１に対して、上述の第１情報を定期的に送信する（ステップＳ１）。また、ユーザは、これから使用する機器３に対してログイン情報を入力する（ステップＳ２）。ユーザが入力したログイン情報を受け付けた機器３は、ログイン情報記憶部３２に記憶されたログイン情報の中に、ユーザが入力したログイン情報と一致するログイン情報が存在するかどうかを判断する認証処理を行う（ステップＳ３）。機器３は、ログイン情報記憶部３２に記憶されたログイン情報の中に、ユーザが入力したログイン情報と一致するログイン情報が存在する場合、当該ユーザを認証する。そして、機器３は、認証したユーザを識別するユーザ情報と、当該機器３を識別する機器情報とを対応付けた第２情報を、情報処理装置１へ送信する（ステップＳ４）。
【００４４】
次に、情報処理装置１は、コンセントタップ２から定期的に取得する第１情報と、機器３から取得した第２情報とに基づいて、ユーザ情報と、消費電力情報とを対応付けた第３情報を生成する（ステップＳ５）。次に、情報処理装置１は、生成した第３情報を、データ管理装置４へ送信する（ステップＳ６）。次に、データ管理装置４は、情報処理装置１から取得した第３情報を第３情報記憶部１２３に登録する（ステップＳ７）。
【００４５】
図９は、本実施形態の電力管理システム１００における第３情報の登録処理の一例を示すフロー図である。図９に示すように、まず、機器３は上述の認証処理を行う（ステップＳ１１）。次に、機器３は、認証されたユーザを識別するユーザ情報と、当該機器３を識別する機器情報とを対応付けた第２情報を生成し、生成した第２情報を情報処理装置１へ送信する（ステップＳ１２）。次に、情報処理装置１は、コンセントタップ２から定期的に取得する第１情報と、機器３から取得した第２情報とに基づいて、第３情報を生成する（ステップＳ１３）。次に、情報処理装置１は、生成した第３情報をデータ管理装置４へ送信する（ステップＳ１４）。次に、データ管理装置４は、情報処理装置１から取得した第３情報を第３情報記憶部１２３に登録する（ステップＳ１５）。
【００４６】
次に、上述の表示要求に応じて消費電力情報を表示する手順について説明する。図１０は、上述の表示要求に応じて消費電力情報を表示する手順の一例を示すシーケンス図である。図１０に示すように、まずユーザは、情報処理装置１に対してログイン情報を入力する（ステップＳ２１）。ユーザが入力したログイン情報を受け付けた情報処理装置１は、ログイン情報記憶部１１６に記憶されたログイン情報の中に、ユーザが入力したログイン情報と一致するログイン情報が存在するかどうかを判断する認証処理を行う（ステップＳ２２）。情報処理装置１は、ログイン情報記憶部１１６に記憶されたログイン情報の中に、ユーザが入力したログイン情報と一致するログイン情報が存在する場合、当該ユーザを認証する。
【００４７】
次に、情報処理装置１は、認証されたユーザからの表示要求を受け付ける（ステップＳ２３）。次に、情報処理装置１は、データ管理装置４に対して、受け付けた表示要求に含まれるユーザ情報に対応付けられた消費電力情報を要求し（ステップＳ２４）、データ管理装置４から、表示要求に含まれるユーザ情報に対応付けられた消費電力情報を取得する（ステップＳ２５）。そして、情報処理装置１は、取得した消費電力情報を表示する制御を行う（ステップＳ２６）。
【００４８】
図１１は、本実施形態の電力管理システム１００における消費電力情報を表示する処理の一例を示すフロー図である。図１１に示すように、まず、情報処理装置１は、ユーザからの表示要求を受け付ける（ステップＳ３１）。次に、情報処理装置１は、ステップＳ３１で受け付けた表示要求に含まれるユーザ情報に対応付けられた消費電力情報を、データ管理装置４から取得する（ステップＳ３２）。次に、情報処理装置１は、ステップＳ３２で取得した消費電力情報を表示する制御を行う（ステップＳ３３）。
【００４９】
以上に説明したように、情報処理装置１は、機器３を識別する機器情報ごとに消費電力情報が対応付けられた第１情報をコンセントタップ２から定期的に取得する。また、情報処理装置１は、機器３を使用するユーザが認証されるたびに、認証されたユーザを識別するユーザ情報と、当該機器３を識別する機器情報とを対応付けた第２情報を機器３から取得する。そして、情報処理装置１は、コンセントタップ２から取得した第１情報と、機器３から取得した第２情報とに基づいて、ユーザ情報と消費電力情報とを対応付けた第３情報を生成する。情報処理装置１により生成された第３情報は、データ管理装置４の第３情報記憶部１２３に登録される。本実施形態では、上述の第１情報と上述の第２情報とを組み合わせることにより、ユーザごとの消費電力量を取得することができるので、電力計を内部に備えない機器を使用する場合であってもユーザ毎の電力管理が可能になるという有利な効果を達成できる。
【００５０】
（第２実施形態）
次に、第２実施形態について説明する。第２実施形態では、データ管理装置４が、第３情報を生成する機能を有する点で第１実施形態と相違する。また、各機器３は、インターネット等のネットワークを介してデータ管理装置４と接続される。以下、第１実施形態と相違する部分を中心に説明し、第１実施形態と共通する部分については適宜に説明を省略する。
【００５１】
図１２は、第２実施形態の機器３の機能構成の一例を示すブロック図である。図１２に示すように、機器３は、ログイン情報受付部３１と、ログイン情報記憶部３２と、認証部３３と、第２情報生成部３４と、第３送信部３６とを備える。ログイン情報受付部３１、ログイン情報記憶部３２、認証部３３、および、第２情報生成部３４の各々の内容は、第１実施形態で説明したとおりである。第３送信部３６は、第２情報生成部３４により生成された第２情報を、データ管理装置４へ送信する。
【００５２】
図１３は、第２実施形態の情報処理装置１の機能構成の一例を示すブロック図である。図１３に示すように、情報処理装置１は、第１取得部１１１と、第４送信部１１９と、受付部１１５と、ログイン情報記憶部１１６と、認証部１１７と、表示制御部１１８とを備える。第１取得部１１１、受付部１１５、ログイン情報記憶部１１６、認証部１１７、および、表示制御部１１８の各々の内容は、第１実施形態で説明したとおりである。第４送信部１１９は、第１取得部１１１により取得された第１情報を、データ管理装置４へ送信する。より具体的には、第４送信部１１９は、第１取得部１１１により第１情報が取得されるたびに、その取得された第１情報を、データ管理装置４へ送信する。これにより、データ管理装置４は、情報処理装置１からの第１情報を定期的に受信することになる。
【００５３】
図１４は、第２実施形態のデータ管理装置４の機能構成の一例を示すブロック図である。図１４に示すように、データ管理装置４は、第４取得部１２４と、第５取得部１２５と、第３情報生成部１２６と、登録部１２２と、第３情報記憶部１２３とを備える。登録部１２２および第３情報記憶部１２３の各々の内容は、第１実施形態で説明したとおりである。第４取得部１２４は、情報処理装置１から第１情報を取得する。この例では、第４取得部１２４は、情報処理装置１からの第１情報を定期的に取得する。第５取得部１２５は、機器３から第２情報を取得する。
【００５４】
第３情報生成部１２６は、第４取得部１２４により取得された第１情報と、第５取得部１２５により取得された第２情報とに基づいて、ユーザ情報と、消費電力情報とを対応付けた第３情報を生成する。登録部１２２は、第３情報生成部１２６により生成された第３情報を第３情報記憶部１２３に登録する。
【００５５】
次に、上述の第３情報の登録手順について説明する。図１５は、上述の第３情報の登録手順の一例を示すシーケンス図である。第１実施形態と同様に、コンセントタップ２は、情報処理装置１に対して、第１情報を定期的に送信する（ステップＳ４１）。情報処理装置１は、コンセントタップ２からの第１情報を受信するたびに、その受信した第１情報をデータ管理装置４へ送信する（ステップＳ４２）。また、ユーザは、これから使用する機器３に対してログイン情報を入力する（ステップＳ４３）。ユーザが入力したログイン情報を受け付けた機器３は、ログイン情報記憶部３２に記憶されたログイン情報の中に、ユーザが入力したログイン情報と一致するログイン情報が存在するかどうかを判断する認証処理を行う（ステップＳ４４）。機器３は、ログイン情報記憶部３２に記憶されたログイン情報の中に、ユーザが入力したログイン情報と一致するログイン情報が存在する場合、当該ユーザを認証する。そして、機器３は、認証したユーザを識別するユーザ情報と、機器３を識別する機器情報とを対応付けた第２情報を、データ管理装置４へ送信する（ステップＳ４５）。
【００５６】
次に、データ管理装置４は、情報処理装置１から取得した第１情報と、機器３から取得した第２情報とに基づいて、ユーザ情報と、消費電力情報とを対応付けた第３情報を生成する（ステップＳ４６）。次に、データ管理装置４は、ステップＳ４６で生成した第３情報を第３情報記憶部１２３に登録する（ステップＳ４７）。
【００５７】
図１６は、本実施形態の電力管理システム１００における第３情報の登録処理の一例を示すフロー図である。図１６に示すように、まず、機器３は上述の認証処理を行う（ステップＳ５１）。次に、機器３は、認証されたユーザを識別するユーザ情報と、機器３を識別する機器情報とを対応付けた第２情報を生成し、生成した第２情報をデータ管理装置４へ送信する（ステップＳ５２）。次に、データ管理装置４は、情報処理装置１から定期的に取得する第１情報と、機器３から取得した第２情報とに基づいて、第３情報を生成する（ステップＳ５３）。次に、データ管理装置４は、生成した第３情報を第３情報記憶部１２３に登録する（ステップＳ５４）。
【００５８】
以上の構成であっても、上述の第１実施形態と同様の効果を達成できる。
【００５９】
（第２実施形態の変形例）
例えばコンセントタップ２とデータ管理装置４とが、インターネット等のネットワークを介して接続され、データ管理装置４は、コンセントタップ２からの第２情報を、情報処理装置１を介さずに受信する形態（コンセントタップ２から直接受信する形態）であってもよい。この場合、情報処理装置１は、上述の第１取得部１１１および第４送信部１１９を有さずに、データ管理装置４は、上述の第４取得部１２４に代えて、コンセントタップ２から定期的に送信される第２情報を取得する機能を有し、コンセントタップ２は、生成した第１情報を定期的にデータ管理装置４へ送信する機能を有することになる。
【００６０】
（第３実施形態）
次に、第３実施形態について説明する。図１７に示すように、第３実施形態の電力管理システム１００は、それぞれに複数のコンセントタップ２が接続される複数の情報処理装置１を含む。また、電力管理システム１００は、情報処理装置１と機器３との対応関係を示す関係情報を記憶する接続管理装置５をさらに備える点で第１実施形態と相違する。接続管理装置５は、インターネット等のネットワークを介して、複数の機器３、および、複数の情報処理装置１の各々と接続されている（通信可能である）。この例では、接続管理装置５は、請求項の「第３装置」に対応していると考えることができる。以下、第１実施形態と相違する部分を中心に説明し、第１実施形態と共通する部分については適宜に説明を省略する。
【００６１】
図１８は、接続管理装置５の機能構成の一例を示すブロック図である。図１８に示すように、接続管理装置５は、関係情報記憶部５１と、第６取得部５２と、特定部５３と、第５送信部５４とを備える。
【００６２】
関係情報記憶部５１は、情報処理装置１と機器３との対応関係を示す関係情報を記憶する。この例では、関係情報は、電力管理システム１００に含まれる複数の情報処理装置１ごとに、当該情報処理装置１が管理する（当該情報処理装置１に接続されるコンセントタップ２により消費電力を監視される）機器３を対応付けた情報である。
【００６３】
第６取得部５２は、機器３から第２情報を取得する。特定部５３は、関係情報記憶部５１に記憶された関係情報を参照して、第６取得部５２により取得された第２情報に含まれる機器情報により識別される機器３に対応する情報処理装置１を特定する。第５送信部５４は、特定部５３により特定された情報処理装置１に対して、第６取得部５２により取得された第２情報を送信する。
【００６４】
図１９は、第３実施形態の情報処理装置１の機能構成の一例を示すブロック図である。図１９に示すように、情報処理装置１は、第１取得部１１１と、第７取得部１３０と、第３情報生成部１１３と、第２送信部１１４と、受付部１１５と、ログイン情報記憶部１１６と、認証部１１７と、表示制御部１１８とを備える。第１取得部１１１、第３情報生成部１１３、第２送信部１１４、受付部１１５、ログイン情報記憶部１１６、認証部１１７、および、表示制御部１１８の各々の内容は、上述の第１実施形態で説明したとおりである。
【００６５】
第７取得部１３０は、接続管理装置５から第２情報を取得する。そして、第３情報生成部１１３は、第１取得部１１１により取得された第１情報と、第７取得部１３０により取得された第２情報とに基づいて、ユーザ情報と、消費電力情報とを対応付けた第３情報を生成する。前述したように、第１情報は、機器情報と消費電力情報とを対応付けた情報であり、第２情報は、ユーザ情報と機器情報とを含む情報であるので、第３情報生成部１１３は、第１情報に含まれる機器情報のうち、第２情報に含まれる機器情報と一致する機器情報を特定し、その特定した機器情報に対応付けられた消費電力情報と、第２情報に含まれるユーザ情報とを紐付けることにより、第３情報を生成することができる。
【００６６】
なお、この例では、機器３およびデータ管理装置４の各々の構成は、上述の第１実施形態と同じである。
【００６７】
図２０は、本実施形態の電力管理システム１００における第３情報の登録処理の一例を示すフロー図である。図２０に示すように、まず、機器３は上述の認証処理を行う（ステップＳ６１）。次に、機器３は、認証されたユーザを識別するユーザ情報と、機器３を識別する機器情報とを対応付けた第２情報を生成し、生成した第２情報を接続管理装置５へ送信する（ステップＳ６２）。次に、接続管理装置５は、関係情報を参照して、機器３から受信した第２情報に含まれる機器情報により識別される機器に対応する情報処理装置１を特定する（ステップＳ６３）。次に、接続管理装置５は、特定した情報処理装置１に対して、機器３から受信した第２情報を送信する（ステップＳ６４）。接続管理装置５からの第２情報を受信した情報処理装置１は、その受信した第２情報と、コンセントタップ２から定期的に取得する第１情報とに基づいて、第３情報を生成する（ステップＳ６５）。次に、情報処理装置１は、生成した第３情報をデータ管理装置４へ送信する（ステップＳ６６）。次に、データ管理装置４は、情報処理装置１から取得した第３情報を第３情報記憶部１２３に登録する（ステップＳ６７）。
【００６８】
以上の構成であっても、上述の第１実施形態と同様の効果を達成できる。
【００６９】
以上、本発明に係る実施形態について説明したが、本発明は、上述の各実施形態そのままに限定されるものではなく、実施段階ではその要旨を逸脱しない範囲で構成要素を変形して具体化できる。また、上述の各実施形態に開示されている複数の構成要素の適宜な組み合わせにより、種々の発明を形成できる。例えば、各実施形態に示される全構成要素から幾つかの構成要素を削除してもよい。さらに、異なる実施形態にわたる構成要素を適宜組み合わせてもよい。
【００７０】
要するに、本発明が適用される電力管理システムは、監視部と認証部と第３情報生成部と第３情報記憶部とを少なくとも備える形態であればよい。監視部、認証部、第３情報生成部、および、第３情報記憶部の各々は、複数の装置の各々に適宜に分散して搭載することができる。監視部は、複数の機器の各々の消費電力を監視するとともに、機器を識別する機器情報ごとに、機器情報により識別される機器の消費電力を示す消費電力情報を対応付けた第１情報を生成する。認証部は、機器を利用するユーザの認証を行う。第３情報生成部は、認証されたユーザを識別するユーザ情報と、当該認証されたユーザが利用する機器の機器情報とを対応付けた第２情報、および、第１情報に基づいて、ユーザ情報と消費電力情報とを対応付けた第３情報を生成する。第３情報記憶部は、第３情報生成部により生成された第３情報を記憶する。
【００７１】
（変形例）
以下、変形例を記載する。以下の変形例同士は任意に組み合わせることもできる。また、以下の変形例は、上述の各実施形態と任意に組み合わせることもできる。
【００７２】
（１）変形例１
例えばユーザは、当該ユーザが使用する端末（以下、「ユーザ端末」と称する場合がある）を介して、情報処理装置１に対するログイン情報や表示要求の入力を行うこともできる。そして、上述の表示制御部１１８は、表示要求に応じた消費電力情報を、ユーザが使用する端末上に表示する制御を行う形態であってもよい。例えば表示制御部１１８は、ユーザ端末から表示要求を受信した場合、その受信した表示要求に含まれるユーザ情報に対応する消費電力情報をデータ管理装置４から取得し、取得した消費電力情報をユーザ端末へ送信する。そして、ユーザ端末は、情報処理装置１から受信した消費電力情報を、ユーザ端末の画面上に表示するという具合である。
【００７３】
また、例えばデータ管理装置４が、ユーザ端末からのログイン情報や表示要求を受け付ける形態であってもよい。この形態では、データ管理装置４は、ユーザ端末を介してログイン情報を入力したユーザを認証する機能と、表示要求に応じた消費電力情報をユーザ端末へ送信する機能とを有する。
【００７４】
（２）変形例２
例えばユーザは、特定のユーザの消費電力情報を表示させる場合と、特定の機器３の消費電力情報を表示させる場合とを選択することもできる。例えばユーザは、特定のユーザの消費電力情報を表示させたい場合は、情報処理装置１に対して、消費電力情報を表示させたいユーザを指定するユーザ指定情報を含む表示要求を入力することもできる。この例では、ユーザ指定情報には、消費電力を表示させたいユーザを識別するユーザ情報が含まれている。また、例えばユーザは、特定の機器３の消費電力情報を表示させたい場合は、情報処理装置１に対して、消費電力情報を表示させたい機器３を指定する機器指定情報を含む表示要求を入力することもできる。この例では、機器指定情報には、消費電力を表示させたい機器３を識別する機器情報が含まれている。
【００７５】
表示制御部１１８は、ユーザから受け付けた表示要求にユーザ指定情報が含まれている場合は、データ管理装置４に対して、当該ユーザ指定情報に含まれているユーザ情報に対応付けられた消費電力情報を要求する。この要求を受けたデータ管理装置４は、ユーザ指定情報に含まれるユーザ情報に対応付けられた消費電力情報を表示制御部１１８へ送信する。表示制御部１１８は、データ管理装置４から受信した消費電力情報を操作パネル２７に表示する制御を行うという具合である。
【００７６】
一方、表示制御部１１８は、ユーザから受け付けた表示要求に機器指定情報が含まれている場合は、当該機器指定情報に含まれている機器情報に対応付けられた消費電力情報を取得する。ここでは、データ管理装置４が、各コンセントタップ２で定期的に生成される第２情報を管理している形態（例えば情報処理装置１は、各コンセントタップ２から第２情報を受信するたびに、その受信した第２情報をデータ管理装置４へ転送する形態）を想定する。この形態では、表示制御部１１８は、データ管理装置４に対して、機器指定情報に含まれている機器情報に対応付けられた消費電力情報を要求する。この要求を受けたデータ管理装置４は、機器指定情報に含まれる機器情報に対応付けられた消費電力情報を表示制御部１１８へ送信する。表示制御部１１８は、データ管理装置４から受信した消費電力情報を操作パネル２７に表示する制御を行うという具合である。
【００７７】
図２１は、本変形例の電力管理システム１００における消費電力情報を表示する処理の一例を示すフロー図である。図２１に示すように、まず、情報処理装置１は、ユーザ端末を介してログイン情報を入力したユーザを認証する処理（認証処理）を行う（ステップＳ７１）。より具体的には、情報処理装置１は、ログイン情報記憶部１１６に記憶されたログイン情報の中に、ユーザ端末から受信したログイン情報と一致するログイン情報が存在する場合、その受信したログイン情報を入力したユーザを認証するという具合である。次に、情報処理装置１は、ユーザ端末からの表示要求を受け付ける（ステップＳ７２）。ステップＳ７２で受け付けた表示要求の中に、ユーザ指定情報が含まれている場合（ステップＳ７３：Ｙｅｓ）、情報処理装置１は、当該ユーザ指定情報に含まれるユーザ情報に対応付けられた消費電力情報を、データ管理装置４から取得する（ステップＳ７４）。そして、情報処理装置１は、ステップＳ７４で取得した消費電力情報を表示する（ステップＳ７５）。
【００７８】
一方、ステップＳ７２で受け付けた表示要求の中に、機器指定情報が含まれている場合（ステップＳ７３：Ｎｏ、ステップＳ７６：Ｙｅｓ）、情報処理装置１は、当該機器指定情報に含まれる機器情報に対応付けられた消費電力情報を、データ管理装置４から取得する（ステップＳ７７）。そして、情報処理装置１は、ステップＳ７７で取得した消費電力情報を表示する（ステップＳ７８）。
【００７９】
また、ステップＳ７２で受け付けた表示要求の中に、ユーザ指定情報および機器指定情報が含まれていない場合（ステップＳ７３：Ｎｏ、ステップＳ７６：Ｎｏ）、情報処理装置１は、全ての機器の合計の消費電力を示す消費電力情報を、データ管理装置４から取得する（ステップＳ７９）。そして、情報処理装置１は、ステップＳ７９で取得した消費電力情報を表示する（ステップＳ８０）。
【００８０】
（３）変形例３
例えば上述の電力管理アプリが搭載された情報処理装置１は、認証されたユーザの消費電力量（ユーザ情報に対応付けられた消費電力情報が示す消費電力の量）が制限値を越えている場合は、警告画面を表示することもできる。さらに、情報処理装置１は、認証されたユーザがシステム管理者であり、かつ、各機器の消費電力量（機器情報に対応付けられた消費電力情報が示す消費電力の量）が制限値を超えている場合は、警告画面を表示することもできる。
【００８１】
図２２は、本変形例の電力管理システム１００における警告画面を表示する処理の一例を示すフロー図である。図２２に示すように、まず、情報処理装置１は、上述の認証処理を行う（ステップＳ８１）。認証されたユーザが、システム管理者ではなくて通常のユーザの場合（ステップＳ８２：Ｎｏ）、情報処理装置１は、認証されたユーザの消費電力量が制限値を越えているか否かを判断する（ステップＳ８３）。認証されたユーザの消費電力量が制限値を越えていると判断した場合（ステップＳ８３：Ｙｅｓ）、情報処理装置１は、警告画面を表示する（ステップＳ８４）。
【００８２】
一方、認証されたユーザがシステム管理者の場合（ステップＳ８２：Ｙｅｓ）、情報処理装置１は、各機器の消費電力量が制限値を越えているか否かを判断する（ステップＳ８５）。各機器の消費電力量が制限値を越えていると判断した場合（ステップＳ８５：Ｙｅｓ）、情報処理装置１は、警告画面を表示する（ステップＳ８４）。各機器の消費電力量が制限値を超えていないと判断した場合（ステップＳ８５：Ｎｏ）、情報処理装置１は、何れかのユーザの消費電力量が制限値を越えているか否かを判断する（ステップＳ８６）。何れかのユーザの消費電力量が制限値を越えていると判断した場合（ステップＳ８６：Ｙｅｓ）、情報処理装置１は、警告画面を表示する（ステップＳ８４）。
【００８３】
（４）変形例４
上述の各実施形態では、本体１０と操作部２０は、別々のオペレーティングシステムで互いに独立して動作しているが、これに限らず、例えば本体１０と操作部２０が同じオペレーティングシステムで動作する形態であってもよい。
【００８４】
（プログラム）
上述した実施形態の電力管理システム１００で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００８５】
１      情報処理装置
２      電源制御機能付コンセントタップ
３      機器
４      データ管理装置
５      接続管理装置
１０    本体
２０    操作部
３１    ログイン情報受付部
３２    ログイン情報記憶部
３３    認証部
３４    第２情報生成部
３５    第１送信部
３６    第３送信部
５１    関係情報記憶部
５２    第６取得部
５３    特定部
５４    第５送信部
１００  電力管理システム
１１１  第１取得部
１１２  第２取得部
１１３  第３情報生成部
１１４  第２送信部
１１５  受付部
１１６  ログイン情報記憶部
１１７  認証部
１１８  表示制御部
１１９  第４送信部
１２１  第３取得部
１２２  登録部
１２３  第３情報記憶部
１２４  第４取得部
１２５  第５取得部
１２６  第３情報生成部
１３０  第７取得部
【先行技術文献】
【特許文献】
【００８６】
【特許文献１】特開２００８−２４５４０１号公報
【図１】
2015057019.tif 000003
【図２】
2015057019.tif 000004
【図３】
2015057019.tif 000005
【図４】
2015057019.tif 000006
【図５】
2015057019.tif 000007
【図６】
2015057019.tif 000008
【図７】
2015057019.tif 000009
【図８】
2015057019.tif 000010
【図９】
2015057019.tif 000011
【図１０】
2015057019.tif 000012
【図１１】
2015057019.tif 000013
【図１２】
2015057019.tif 000014
【図１３】
2015057019.tif 000015
【図１４】
2015057019.tif 000016
【図１５】
2015057019.tif 000017
【図１６】
2015057019.tif 000018
【図１７】
2015057019.tif 000019
【図１８】
2015057019.tif 000020
【図１９】
2015057019.tif 000021
【図２０】
2015057019.tif 000022
【図２１】
2015057019.tif 000023
【図２２】
2015057019.tif 000024